Podtech/llm-jp-corpus-v4-ja_patent huggingface dataset:
(57)【要約】【課題】  本発明は救助者が天災、事故、急病、事件等で被害に遭い、意識の混濁又は不明の人を救助した場合、身に着けている腕時計のバンドを外すことにより、時計の裏蓋の書き込み部の氏名、連絡先、生年月日を見ることで速やかに身元確認をすることができる粘着シールとこの上を被う凸面形状の透明保護シールを提供する。【手段】  任意の腕時計（５）の裏蓋（１）に収まる形状の氏名、連絡先、生年月日、血液型等を記入できる書き込み部を設けた身元確認粘着シール（３）を裏面（１）に貼り付け、このうえに凸面形状の透明保護シール（４）で被うことを特徴とする。【選択図】図３
2007248440.tif 000002
【特許請求の範囲】
【請求項１】
氏名、連絡先、生年月日、血液型等を記入する書き込み部を設け、任意の腕時計の裏面（１）に収まる形状の粘着シール（３）と文字を拡大するための凸面形状の粘着シール（４）からなる身元確認シール。
【発明の詳細な説明】
【技術分野】
【０００１】  本発明は腕時計の裏面に書き込み部を設けた粘着シールを貼付、表面の書き込み部に凸面形状の透明の保護シールを貼付した身元確認用のシールである。
【背景技術】
【０００２】  従来、腕時計は年、月、日時、曜日を確認する役目しかなかった。
【発明が解決しようとする課題】
【０００３】  地震、津波、火山噴火、テロ、事故、殺人事件、傷害事件等により被害、意識不明の人、不慮の死をとげた人、特に身元を証明するものがない場合は身元を確認することは難航を極め、歯型やＤＮＡ鑑定が必要不可欠になる。突然の災害、特に大地震や大津波の場合、早急に何千何万という死体を埋葬しなくてはならない状況では速やかな身元確認の必要がせまられる。また、急病で意識のない人、保護した痴呆老人の身元確認にも役立てる。
そこで、だれもが身に着けている腕時計の裏面に着目した。
【課題を解決するための手段】
【０００４】  氏名、生年月日、連絡先、血液型等を記入できる書き込み部を設けた任意の腕時計の裏面に収まる形状の身元確認用の粘着シール（３）を腕時計の裏面（１）に貼り付け、その上に凸面形状の透明粘着シール（４）で被う。
本発明は、以上の構成よりなる救助者は救助される人の腕時計バンド（２）を外し、裏面に貼り付けてある身元確認シールを見ることにより、容易に身元の確認を可能にする。
【発明の効果】
【０００５】  本発明は救助者が救助される人の腕時計をはずしただけで裏面の身元確認用のシールをみれば速やかに身元を確認することができ、腕時計は肌身放さず着用していることで事件や事故の場合警察の捜査にも大変役にたつ。腕時計には裏面の方に身元確認用のシールが貼り付けてあるので本人のプライバシーも守られ、腕時計の本来のデザインも失われることもない、また身元確認シールの上に凸面形状の透明保護シールが貼ってあるので、小さな文字が拡大して見え、汗や摩擦で消えることもなく、肌に触れる面も小さいので蒸れることもすくない。また、血液型を記入しておけば緊急の輸血にも役立ち、コストの面も非常に安価で済む。特に大災害時、各地方自治体、各省庁は速やかに負傷者及び死亡者の把握と確認をできるのが特徴である。
【発明を実施するための最良の形態】
【０００６】  以下、本発明の形態を説明する。
（イ）  腕時計（５）の裏面（１）に氏名、生年月日、連絡先、血液型等を記入する書き込み部を設けた任意の腕時計の裏面に納まる形状の身元確認用の粘着シール（３）を貼りる。
（ロ）  身元確認用の粘着シール（３）の上に凸面形状の透明な粘着シール（４）で貼り付ける。本発明は以上の構成よりなる。
【図面の簡単な説明】
【０００８】
【図１】本発明の底面図
【図２】本発明の側面図
【図３】本発明の実施例を示す斜視図
【符号の説明】
【０００９】      １  腕時計裏面
２  腕時計バンド
３  身元確認用の粘着シール
４  凸面形状の透明保護粘着シール
５  腕時計
【図１】
2007248440.tif 000003
【図２】
2007248440.tif 000004
【図３】
2007248440.tif 000005
(57)【要約】【課題】 モヤモヤとした蒸気が立ち昇らない、安価な廃蒸気回収装置を提供する。【解決手段】  廃蒸気通路１にパイプ５，６と冷却流体噴射部材２，３を接続する。冷却流体噴射部材２，３には冷却流体供給管７を接続する。冷却流体噴射部材２，３の下方にポンプ部材４を配置して管路９，１０で連通する。ポンプ部材４を、エゼクタ１１と液体タンク１３と循環ポンプ１４を順次連通して構成する。  廃蒸気通路１を流下してくる廃蒸気は、冷却流体噴射部材２，３から供給される冷却流体によって凝縮され、モヤモヤとした蒸気が立ち昇ることがない。凝縮した廃蒸気の凝縮水と冷却流体は、エゼクタ１１の吸引口１２へ吸引され、液体タンク１３内へ至る。【選択図】 図１
2007139220.tif 000002
【特許請求の範囲】
【請求項１】
蒸気使用装置から流下してくる廃蒸気を所定箇所へ排出するものにおいて、廃蒸気通路内部に冷却流体を噴射する冷却流体噴射部材を取り付けると共に、当該冷却流体と廃蒸気が凝縮した凝縮水とを、所定箇所まで移送するポンプ部材とを具備し、当該ポンプ部材をエゼクタと液体タンクと循環ポンプとで構成したことを特徴とする廃蒸気回収装置。
【発明の詳細な説明】
【技術分野】
【０００１】
本発明は、例えばシュリンクトンネルやスチーマーやゴムの加硫器等の各種蒸気使用装置から廃棄される廃蒸気を、熱交換して回収することにより、工場建屋の内部あるいは外部でモヤモヤと立ち込める廃蒸気を無くすことのできる廃蒸気回収装置に関する。
【背景技術】
【０００２】
廃蒸気回収装置は、蒸気使用装置としてのシュリンクトンネルと、エゼクターと液体タンクと循環ポンプで構成された真空吸引手段とを、廃蒸気回収パイプで接続したもので、シュリンクトンネルからの廃蒸気を真空吸引手段で吸引することによって、モヤモヤと立ち込める廃蒸気を無くすことができるものである。
【０００３】
この廃蒸気回収装置においては、大量の廃蒸気を吸引するために、真空吸引手段を構成する循環ポンプの容量を大きなものとしなければならず、装置自身のコストが上昇すると共に、循環ポンプの駆動にも多くの電力を要するためにランニングコストも上昇してしまう問題点があった。
【特許文献１】特開２００２−５５８２号公報
【発明の開示】
【発明が解決しようとする課題】
【０００４】
解決しようとする課題は、モヤモヤと廃蒸気が立ち昇ることが無い安価な廃蒸気回収装置を提供することである。
【課題を解決するための手段】
【０００５】
本発明は、蒸気使用装置から流下してくる廃蒸気を所定箇所へ排出するものにおいて、廃蒸気通路内部に冷却流体を噴射する冷却流体噴射部材を取り付けると共に、当該冷却流体と廃蒸気が凝縮した凝縮水とを、所定箇所まで移送するポンプ部材とを具備し、当該ポンプ部材をエゼクタと液体タンクと循環ポンプとで構成したものである。
【発明の効果】
【０００６】
本発明の廃蒸気回収装置は、廃蒸気通路に冷却流体噴射部材を取り付けて、廃蒸気に冷却流体を噴射することによって、廃蒸気を凝縮させてモヤモヤと立ち昇ることを防止することができると共に、廃蒸気の凝縮水と残余の冷却流体を、すなわち、容積が蒸気と比較して１０分の１程度と小さくなった液体だけをポンプ部材によって所定の箇所まで圧送することにより、循環ポンプの容量を小さなものとすることができ、安価な廃蒸気回収装置とすることができる。
【発明を実施するための最良の形態】
【０００７】
本発明は、廃蒸気通路に冷却流体噴射部材を取り付けるものであるが、冷却流体噴射部材は、廃蒸気通路の流下方向に沿って複数個を直列に配置することが好適である。
【実施例１】
【０００８】
本実施例においては図１に示すように、廃蒸気通路１と、この廃蒸気通路１と接続した２つの冷却流体噴射部材２，３、及び、ポンプ部材４とで廃蒸気回収装置を構成する。
【０００９】
廃蒸気通路１の左端は図示しない蒸気使用装置と接続する。冷却流体噴射部材２，３は、廃蒸気通路１とほぼ同径のパイプ５，６の外周に取り付けて、上部に冷却流体供給管７を接続する。この冷却流体噴射部材２，３からパイプ５，６内へ冷却流体例えば冷却水が噴射されることによって、廃蒸気通路１内を流下してくる廃蒸気を凝縮させて凝縮水とすることができるものである。
【００１０】
パイプ６の右側には連通管８を接続して、後述するポンプ部材４を構成するエゼクタ１１の吸引口１２と接続する。もしも、パイプ５，６内で凝縮しきれなかった一部の廃蒸気が残存する場合は吸引口１２へ吸引される。また、パイプ５，６の下部に管路９，１０を接続して同じくエゼクタ１１の吸引口１２と接続する。パイプ５，６内で凝縮した廃蒸気の凝縮水と冷却流体が、管路９，１０から吸引口１２へ吸引される。
【００１１】
ポンプ部材４は、エゼクタ１１と液体タンク１３と循環ポンプ１４を順次連通して構成する。エゼクタ１１のディフューザ部１５を液体タンク１３内に配置する。液体タンク１３内でディフューザ部１５の下端が入り込むように気液分離筒１６を設ける。気液分離筒１６は上端１７を開放すると共に、循環ポンプ１４の反対側の側面に複数の貫通孔を設ける。
【００１２】
液体タンク１３は、上部に取り付けたバルブ１８を介して外部と連通させる。液体タンク１３には、タンク１３内に循環液体としての冷却水を供給する冷却水供給管１９を接続すると共に、下部にはタンク７内の液体温度を検出する図示しない温度センサを取り付ける。温度センサで検出した液体温度に応じて冷却水供給管１９から供給する冷却水の量を制御することによって、タンク１３内の液体温度すなわちポンプ部材４を循環する液体の温度を任意に調節することができるものである。
【００１３】
液体タンク１３の側部に循環ポンプ１４を接続する。循環ポンプ１４の吸引側を液体タンク１３と、反対の吐出側をエゼクタ１１のノズル部と接続する。循環ポンプ１４の駆動により、液体タンク１３内の冷却流体をエゼクタ１１に供給して吸引力を発生して、吸引口１２から廃蒸気の凝縮水および冷却流体を吸引することができるものである。
【００１４】
液体タンク１３の下部に、余剰液体排出路２０とバルブ２１を取り付ける。ポンプ部材４を循環する液体の温度を調節することによって、エゼクタ１１の吸引口１２での真空吸引力を任意に調節することができる。
【００１５】
上記のように本発明は、冷却流体噴射部材２，３とポンプ部材４とを具備することにより、モヤモヤと立ち昇る廃蒸気を無くすことができると共に、大型の循環ポンプが不要となり、廃蒸気回収装置を安価なものとすることができる。
【図面の簡単な説明】
【００１６】
【図１】本発明の廃蒸気回収装置の実施例を示す構成図。
【符号の説明】
【００１７】
１  廃蒸気通路
２，３  冷却流体噴射部材
４  ポンプ部材
５，６  パイプ
７  冷却流体供給管
１１  エゼクタ
１２  吸引口
１３  液体タンク
１４  循環ポンプ
１５  ディフューザ部
１６  気液分離筒
【図１】
2007139220.tif 000003
(57)【要約】【課題】  従来のビルトオン構造のエンコーダは、モータとエンコーダの取付けが調整用ガタを有したフリーとなっているため、モータにエンコーダを搭載した後にエンコーダの内部信号の調整をメカ的に行っていて、予めエンコーダ単体でのエンコーダ内部信号の調整をすることができないので、エンコーダ単体での製造ができないという問題があった。【解決手段】  モータのエンコーダ取付け部に凸部を、エンコーダの取り付け部であるハウジングに凹部であるメカノック構造を備えることで、エンコーダを予め単体にてエンコーダ内部信号を調整した状態でエンコーダの製造ができるとともに、モータにメカ的に搭載することができる。【選択図】    図１
2007139423.tif 000002
【特許請求の範囲】
【請求項１】
モータにエンコーダを直接搭載するビルトオン構造のエンコーダ取付構造において、
前記モータのエンコーダ取付け部に凸部を、前記エンコーダの取り付け部であるハウジングに凹部であるメカノック構造を備えたことを特徴とするエンコーダ取付構造。
【発明の詳細な説明】
【技術分野】
【０００１】
本発明は、モータの回転位置や回転速度などを検出するエンコーダの取付構造に関する。
【背景技術】
【０００２】
従来のビルトオン構造のエンコーダ取付け部を図２に示す。図において、１１１はモータ、１１１ａはモータ取付け部、１１２はエンコーダ、１１２ａはエンコーダ取付け部である。従来のビルトイン構造のエンコーダは、直接モータにエンコーダを搭載した後に、エンコーダの内部信号の調整を行っている。
また、モータ側のエンコーダ勘合部に凸上の取付部を設けたものもある（例えば、特許文献１参照）。
【特許文献１】特開平８−２５１８７４号公報（図１）
【発明の開示】
【発明が解決しようとする課題】
【０００３】
従来のビルトオン構造のエンコーダは、モータとエンコーダの取付けが調整用ガタを有したフリーとなっているため、モータにエンコーダを搭載した後にエンコーダの内部信号の調整をメカ的に行っていて、予めエンコーダ単体でのエンコーダ内部信号の調整をすることができないので、エンコーダ単体での製造ができないという問題があった。
本発明はこのような問題点に鑑みてなされたものであり、エンコーダを予め単体にてエンコーダ内部信号を調整した状態でエンコーダの製造ができるとともに、モータにメカ的に搭載することができるエンコーダを提供することを目的とする。
【課題を解決するための手段】
【０００４】
上記問題を解決するため、本発明は、次のように構成したのである。
請求項１に記載の発明は、モータに直接搭載するビルトオン構造のエンコーダにおいて、前記モータのエンコーダ取付け部に凸部を、前記エンコーダの取り付け部であるハウジングに凹部であるメカノック構造を備えたものである。
【発明の効果】
【０００５】
請求項１に記載の発明によると、エンコーダを予め単体にてエンコーダ内部信号を調整した状態でエンコーダの製造ができるとともに、モータにメカ的に搭載することができる。
【発明を実施するための最良の形態】
【０００６】
以下、本発明の実施の形態について図を参照して説明する。
【実施例１】
【０００７】
図１は、本発明のエンコーダの取付け図である。図において、モータ１のエンコーダ取付け部１ａは凸部構造となっている。またエンコーダ２のモータ取付け部２ａは、凹部構造となっている。
【０００８】
このメカノック構造は、モータの凸部かつエンコーダの凹部にメカ的な公差をもたすことで、エンコーダ単体での製造ができ、かつエンコーダの単体調整ができることとなり、モータにメカ的に搭載することができる。
【図面の簡単な説明】
【０００９】
【図１】本発明の実施例を示すビルトオン構造のエンコーダ取付け図
【図２】従来のビルトオン構造のエンコーダ取付け図
【符号の説明】
【００１０】
１  モータ
１ａ  モータ取付け部
２  エンコーダ
２ａ  エンコーダ取付け部
１１１  モータ
１１１ａ  モータ取付け部
１１２  エンコーダ
１１２ａ  エンコーダ取付け部
【図１】
2007139423.tif 000003
【図２】
2007139423.tif 000004
(57)【要約】【課題】  使用環境に影響を受けやすくコストアップを招くセンサや電気系統を使用することなく、出力回転数の制御精度が良い油圧モータ制御機構を提供する。【解決手段】  一定圧力油圧源１１から所定圧力の圧液が供給され、外部からの機械的変位により吐出容量を変更し出力を調整する可変容量油圧モータ１２と、可変容量油圧モータ１２の吐出容量を変更するために機械的変位を付与するピストン１８に対してスプリング１９を介して軸力を付与するコマンドアクチュエータ２０と、可変容量油圧モータ１２から吐出された圧液に圧力差を発生させる絞り１５から圧力差を作用させるための圧液がピストン１８を収容したシリンダ１７に導入され、圧力差が大きいほど可変容量油圧モータ１２の吐出容量を減らす方向にピストン１８をコマンドアクチュエータ２０に対して相対的に移動可能とした。【選択図】        図１
2007139137.tif 000002
【特許請求の範囲】
【請求項１】
所定圧力の圧液を供給する油圧源と、
外部からの機械的変位により吐出容量を変更し出力を調整する可変容量油圧モータと、
該油圧モータから吐出された圧液から圧力差を発生させる絞り機構と、
前記油圧モータの吐出容量を変更するために機械的変位を付与するピストンと、
該ピストンに対して弾性体を介して軸力を付与するアクチュエータ機構と、
前記ピストンに前記絞り機構による圧力差を作用させるための圧液が該ピストンを収容したシリンダに導入されるとともに、該圧力差が大きいほど前記油圧モータの吐出容量を減らす方向にピストンをアクチュエータ機構に対して相対的に移動可能に構成したことを特徴とする油圧モータ制御機構。
【発明の詳細な説明】
【技術分野】
【０００１】
本発明は、航空機器等に好適に使用される油圧モータ制御機構に関する。
【背景技術】
【０００２】
従来、油圧モータの回転数を制御する際、回転数を出力軸に別途設けたセンサにより計測しフィードバックすることで、油圧モータの容量制御機構を制御していた。また、目標の回転数が決まっている場合、それに合わせて、油圧モータの容量制御機構を制御していた。
【発明の開示】
【発明が解決しようとする課題】
【０００３】
しかしながら、回転数を別途センサにより計測する場合、センサや電気系統が必要であるので、コストアップにつながった。センサや電気系統が使用環境に影響を受けやすく誤作動の恐れがあった。一方、所望の回転数に合わせてモータの容量を制御する場合、回転数の変動が避けられず、出力回転数の制御精度が悪くなった。
【０００４】
本発明は上記課題を解決することのできる油圧モータ制御機構を提供することを目的とする。
【課題を解決するための手段】
【０００５】
上記課題を解決するため、本発明の油圧モータ制御機構は、
所定圧力の圧液を供給する油圧源と、
外部からの機械的変位により吐出容量を変更し出力を調整する可変容量油圧モータと、
該油圧モータから吐出された圧液から圧力差を発生させる絞り機構と、
前記油圧モータの吐出容量を変更するために機械的変位を付与するピストンと、該ピストンに対して弾性体を介して軸力を付与するアクチュエータ機構と、前記ピストンに前記絞り機構による圧力差を作用させるための圧液が該ピストンを収容したシリンダに導入されるとともに、該圧力差が大きいほど前記油圧モータの吐出容量を減らす方向にピストンをアクチュエータ機構に対して相対的に移動可能に構成したことを特徴とする。
【発明の効果】
【０００６】
本発明では、回転数制御が純油圧的に行えるため制御速度が速く、負荷による速度変動を抑制できる制御が、センサや電気回路を使用することなく実現可能となる。これにより、使用環境に影響を受けやすいセンサや電気系統による誤作動がなくなるとともに、コストアップも抑制される。
【発明を実施するための最良の形態】
【０００７】
以下に、本発明の実施例について図１を用いて述べる。
【０００８】
図１の油圧モータの速度制御機構は、一定圧力油圧源１１から所定圧力の圧液が可変容量油圧モータ１２に送り込まれる。可変容量油圧モータ１２として、例えば斜板式ピストンモータや斜軸式ピストンモータが採用される。これらは、斜板（斜軸）１３の傾斜角度を外部から機械的に変更することで出力軸１４からのモータ出力を変えることができ、駆動中もそれが可能である。そして、可変容量油圧モータ１２を通過した圧液は、絞り１５に導かれ、絞り１５を通過した後、タンク１６に回収される。
【０００９】
さらに、シリンダ１７に収容されたピストン１８が、可変容量油圧モータ１２の容量を制御する斜板（斜軸）１３を移動するよう構成されるとともに、このピストン１８は弾性体であるスプリング１９を介して進退可能にコマンドアクチュエータ２０の進退部材２０ａに連結され、ピストン１８がコマンドアクチュエータ２０に近づく方向に移動するとき、斜板（斜軸）１３の傾きが小さくなってモータ１２の出力が小さくなり、逆にピストン１８がコマンドアクチュエータ２０から遠ざかる方向に移動するとき、斜板（斜軸）１３の傾きが大きくなってモータ１２の出力が大きくなる。
【００１０】
一方、絞り１５に平行して、ピストン１８を収容したシリンダ１７が設けられ、絞り１５の上流側と下流側の圧液がそれぞれシリンダ１７に導かれ、上流側の圧液はピストン１８をコマンドアクチュエータ２０に近づく方向の油圧として、下流側の圧液はピストン１８をコマンドアクチュエータ２０から遠ざかる方向の油圧として作用する。
【００１１】
次に、本実施例のおける油圧モータの速度制御機構の動作について図１を用いて説明する。
【００１２】
一定圧力油圧源１１から所定圧力の圧液が送り込まれ可変容量油圧モータ１２が駆動するとともに、可変容量油圧モータ１２の斜板（斜軸）１３は、コマンドアクチュエータ２０の進退部材２０ａによってピストン１８に軸方向荷重が付与されて、傾斜角度が変えられる。この可変容量油圧モータ１２は駆動中であっても、コマンドアクチュエータ２０に外部からのコマンドが入力されることにより、進退部材２０ａがピストン１８を移動して斜板（斜軸）１３の傾斜角度を変えることが出来、可変容量油圧モータ１２の出力が任意に設定される。
【００１３】
そして、コマンドアクチュエータ２０にコマンドが入力され、ピストン１８が軸方向に変位するが、例えば、可変容量油圧モータ１２の出力を大きくする方向にコマンドが入力され、ピストン１８がその方向（図中では左方向）に移動した直後、モータ出力が所期の出力に対しオーバーシュートすることがあるが、その際、絞り１５の上下流側の圧力差が、安定時と比較して大きくなる。このとき新たに生じた圧力差がシリンダ１７に伝わり、ピストン１８はモータ出力が小さくなる方向（図中では右方向）に圧力差に応じて戻される。間もなく、絞り１５の上下流側での圧力差が安定し、ピストン１８の変位も安定し、ひいては、モータ出力が安定する。
【００１４】
このような作用により、コマンドに応じて、所期のモータ回転数を得ることができる。
【図面の簡単な説明】
【００１５】
【図１】本発明の実施例に係る油圧モータ速度制御機構を示すブロック図である。
【符号の説明】
【００１６】
１１  一定圧力油圧源
１２  可変容量油圧モータ
１５  絞り
１７  シリンダ
１８  ピストン
１９  スプリング
２０  コマンドアクチュエータ
２０ａ  進退部材
【図１】
2007139137.tif 000003
(57)【要約】【課題】クリップにマジックテープ（商標登録）の雌面か雄面のいずれか一方を取り付け、ポケット等にこのクリップを挟み、ゴルフグローブ等に使用されているマジックテープの部分を活用して、本クリップに接着することにより、簡単に取り付け取り外しができるように保持する。【解決手段】図１に示すように１，３，４，５、は硬質部材で一体成形されたクリップにあって、外面３にマジックテープ２を強力に接着されている。【選択図】図１
2007139175.tif 000002
【特許請求の範囲】
【請求項１】
硬質部材でつくられたクリップであって、物を挟む面に刻みを施し間単にはずれないようにして有り、挟む面に対向する外面にマジックテープ（登録商標）の雌か雄のいずれか一方を取り付けたクリップ。
【請求項２】
前記クリップの挟む面に対向する内面は同外面よりも少し長く作られており、クリップの内面と外面の挟み口の部分をＶ字型に広げられていることを特徴とする請求項１記載のクリップ。
【請求項３】
前記マジックテープが取り付けられた外面は企業ロゴや商標等を、広告の一部として使用できる請求項２記載のクリップ。
【発明の詳細な説明】
【技術分野】
【０００１】  本発明は衣類や紙を挟むクリップ、その他のクリップに関する。
【背景技術】
【０００２】  従来のクリップは、単に物を挟むだけのものであり、クリップ素材本来の弾性を利用したものやバネを活用してより強く挟むために工夫したものであった。【０００３】  従来のクリップは、挟んだものが外れないように、挟む面にギザギザを施し外れにくくしたものであった。【０００４】  マジックテープ（登録商標）は、雌面と雄面で成り立っており、その接着力も強力で且つ両面を合わせることで簡単に取り付け取り外しができる部材であり、一般的には同一商品の取り付け取り外しに使われている。
【発明の開示】
【発明が解決しようとする課題】
【０００５】  マジックテープの雌面と雄面を使用した商品は、世の中によくあるが、商品を使用しない時にマジックテープの雌面と雄面を活用して、他の商品にとりつけられているマジックテープの雌面や雄面に接着させ保持するものが無かった。【０００６】  前記商品の一つとして、マジックテープを使ったゴルフグローブを例にとると、ゴルフプレー中にグリーン等でゴルフグローブを使用しない時は、ポケット等に押し込むしか無かった。【０００７】  本発明は、このような点に鑑みて為されたものであり、その目的は、クリップにマジックテープの雌面か雄面のいずれか一方を取り付けることにより、ポケット等にこのクリップを挟み、ゴルフグローブ等に使用されているマジックテープ部分を活用し、クリップに接着することにより簡単に保持できるようにした。
【課題を解決しようとするための手段】
【０００８】  上記の目的を達成しようとする本発明のクリップは硬質部材でつくられたクリップであって、物を挟む面に刻みを付け、簡単に外れないようにしてあり、挟む面に対向する外面にマジックテープ（登録商標）の雌か雄のいずれか一方を取り付けたクリップ。
【０００９】  前記クリップの挟む面に対向する内面は同外面よりも少し長く作られており、クリップの内面と外面の挟み口の部分をＶ字型に広げられていることを特徴とするクリップ。
【００１０】  前記マジックテープが取り付けられた外面は企業ロゴや商標等を配し広告の一部としても使用でききるクリップ。
【発明の効果】
【００１１】  以上説明したように、本発明によれば硬質部材でつくられたクリップであって、物を挟む面と対向する外面にマジックテープ（登録商標）の雌面か雄面をとりつけてあり、例えば、マジックテープ付きのゴルフグローブ等を使用しない場面の時に、同グローブのマジックテープ面を衣類に挟んだ本発明のクリップ外面のマジックテープ部分に接着することにより、簡単に保持でき、ゴルフグローブ等の収納、取り外しが気楽に出来る。
【発明を実施するための最良の形態】
【００１２】  以下本発明の実施の形態を図面に基づき詳細を説明する。【００１３】  図１はその外観斜視図、図２はその断面図、図３はその表面に動物の広告を模した正面図である。【００１４】  図１に示すように本発明のクリップは、マジックテープ２を除く１，３，４，５、は硬質部材で一体成形されていて、そこに接着剤でマジックテープ２が強力に接着されている。【００１５】  図１に示すように一体成形された本クリップで、支点１が蝶番の役目をしており、対向する外面３と内面４の間にベルト等や衣類を挟み、ギザギザ５により外れにくくなっている。【００１６】  図２に示すように本クリップの挟み口となる外面先端部分６と内面先端部分７の間を広げてあり、間口が広くなりことにより衣類等をより挟みやすくなるようにしてある。【００１７】  図２に示すように外面３よりも内面４の方が少し長く作られており、衣類等に本クリップを挟む際に、先に内面４が引っ掛かることにより、外面３を少し引っ張り上げることで、衣類等を挟みやすくしてある。【００１８】  使用方法は、ゴルフグローブを例にとって示すとマジックテープの雌面を接着してある本クリップをズボンのポケットの口に内面４をポケットの内側になるようにして、支点１迄差し込み、ゴルフグローブを使用しない時に、ベルトの役目をしている同グローブのマジックテープ雄面を本クリップの雌面に接着させ保持する。【００１９】  図３は、本発明のマジックテープクリップ外面の上部に動物の飾りをつけて、広告の一部の例としたものである。
【図面の簡単な説明】
【００２０】
【図１】  外観斜視図
【図２】  断面図
【図３】  正面図
【図１】
2007139175.tif 000003
【図２】
2007139175.tif 000004
【図３】
2007139175.tif 000005
(57)【要約】【課題】オートスイッチの設定位置が機械組み付け時に、誰にでも簡単にわかるよう、設定位置表示付きシリンダーを、提供する。【解決手段】オートスイッチ（２Ａ２Ｂ）の最高感度位置をマーキングしシリンダーチューブ（１）の外面に、最高感度位置と合わせた、設定位置の目盛り（３）を表示したことを、特徴とする。【選択図】図１
2007139172.tif 000002
【特許請求の範囲】
【請求項１】
オートスイッチ付きエアーシリンダー、油圧シリンダーにおいて、オートスイッチの最高感度ポイントに合わせた、設定位置の目盛りを表示してあるシリンダー。
【発明の詳細な説明】
【技術分野】
【０００１】この発明は、オートスイッチ付きシリンダーのシリンダーチューブ外面に、オートスイッチの設定位置を表示してあるシリンダーに、関するものである。
【背景技術】
【０００２】従来、オートスイッチ付きシリンダーには、オートスイッチの設定位置表示はなかった。
【発明の開示】
【発明が解決しようとする課題】
【０００３】これは次のような欠点があった。
カタログには設定位置の記載はあるが、図面上にオートスイッチの、取り付け位置まで記入されているものは無く、また、組み付け現場においても、カタログを手に設定位置を調べることはほとんど無く、機械の組み付け、配管、電気配線、が終了し、電源を入れて機械を作動させながら、オートスイッチのランプを、見て位置を合わせている為、作業に危険が伴うとともに、作業効率がわるかった。
本発明は、以上のような欠点をなくすためになされたものである。
【課題を解決するための手段】
【０００４】オートスイッチに最高感度ポイントをマーキングし、シリンダーチューブ外面にも、最高感度位置に合わせた目盛りを、表示する。
本発明は、以上の構成よりなる、オートスイッチ位置設定表示付きシリンダーである。
【発明の効果】
【０００５】組み付け時に誰にでも簡単に、位置がわかる為、電源を入れてからの位置調整が不要となり、作業時間が短縮され、危険な作業もしなくてもよくなった。
【発明の実施をするための最良の形態】
【０００６】オートスイッチ（２Ａ２Ｂ）の最高感度ポイントをマーキングし、シリンダーチューブ（１）の外面に、ロッド入端（４）から、ロッド出端（５）までの範囲に、最高感度位置と合わせた、目盛り（３）を表示する。
目盛りが一箇所でもあれば、オートスイッチを、目盛りと異なる面に取り付けなければならない時でも、その目盛りを基準に、寸法が分かるので、全面に表示しなくてもよい、また、シリンダーの注文時に表示面を指定するのもよい。
【図面の簡単な説明】
【図１】本発明の平面図を示す
【図２】本発明の正面図を示す
【符号の説明】
１        シリンダチューブ
２Ａ２Ｂ  オートスイッチ
３        目盛り
４        ロッド入り端
５        ロッド出端
６        レール
７        最高感度位置マーク
８        配管ポート
９        ピストンロッド
【図１】
2007139172.tif 000003
【図２】
2007139172.tif 000004
(57)【要約】【課題】パラボラ型反射鏡は高価な上、場所をとり異様で家庭に馴染まない形状の為、いかに安価に簡単にするかと云うことで、反射鏡を多数に分割する事で総合的に反射面し  焦点を結ぶ凹面鏡とした。ヒートパイプ等を共用する事により、経済性と効率を両立させる事が出來る。【解決手段】本棚状の箱に鏡面が汚れない様にガラスでシールして、多数の鏡を一点に焦点を結ぶ様にアクチユエーターをコンピユーターでコントロールすれば設置面積は少なく塀がわりになる。【特許請求の範囲】
【請求項１】
通常反射鏡は一枚の平面を用うるが、外側の三面を反射鏡とする三角柱状で回転出來る様な構造の、小型反射鏡を多数用意して、各々にアクチュエーターを着け、コンピューター制御してパラボラ反射面を作り、太陽追尾をして一点に焦点を結ばせれば、一日約１２０度回転して止り、日没後元に戻さなくても、隣接面の鏡が始発位置に在るので、翌日次の鏡面から即太陽光追尾が出來る。昼間だけ動き三日で一回転するので追尾の為の総合電力が著しく節約できる。此れは特願２００４−３４３０４５に似ているが鏡の並び方はほぼ平面で、（鏡の三角柱が廻転出來る程の若干の奥行は必要）各鏡を総合すると一点に集る矩形のパラボラ型太陽熱集光反射鏡になる、そして北側のヒートパイプに焦点を合せれば、風呂は沸き、家中のスチーム暖房が出來る。但し危険防止の為、焦点付近には光路を損なわない様な障害物を置き、焦点の高さは２ｍ以上とする。  直径の大きいパラボラ反射鏡では家庭に置くには違和感があるが、本箱状の奥行の少ない、矩形のパラボラ鏡とした物なら違和感なく塀として、各家庭に設置しやすい。  以上の様な構造と効果を持つた太陽光集熱機。
【発明の詳細な説明】
【技術分野】
【０００１】本発明は焦点を固定しながら太陽追尾を行う太陽光集熱機に関する。
【背景技術】
【０００２】ガラスに挾んで屋根の上に載せた太陽熱温水器は今迄にもあった。
【発明の開示】
【発明が解決しようとする課題】
【０００３】大きなパラボラ反射鏡は奥行もあり、家庭に置くには馴染まない。塀型の矩形反射鏡では埃が入り中の鏡が曇らない様にガラスでシールする。ソーラーパネル又は小型の風力発電機を付けて鉛蓄電池に充電する。雨の日も風の日もあるが一年間のスパンで見ればムーブメントは自給自足して、ＡＣ．１００Ｖは使はない。
【課題を解決するための手段】
【０００４】反射鏡を多数に分割して、それぞれにアクチュエーターを基に付け、コンピューター制御すれば、本箱状の矩形の中の鏡は総合して各点でパラボラ反射鏡と同じ角度を取り焦点を北側の約２ｍ高の球状のヒートパイプに合せる。
【発明の効果】
【０００５】  太陽光はヒートパイプに直角に当るので効率良く効果的である。それだけに危険もあり、焦点付近の防護柵は完全なものを必要とする。
【産業上の利用可能性】
【０００６】パラボラアンテナの様な形態が望ましいが、家庭に置くには異様で馴染まない為、本箱状のガラス箱に多数の鏡を入れ、鏡が曇らない様にガラスでシールする、コンピューター制御してパラボラ反射鏡面と同様な角度にする。特願２００４−３４３０４５の太陽追尾の三角柱状の太陽電池を設置して直列接続して、自動車用電池に充電すれば、  又は小型の風力発電機を併用すれば一年間を通じたスパンで、１００ＶのＡＣは不要、動力は全て自給自足出來る。
(57)【要約】【課題】本考案は乳幼児おしりふき収納容器において蓋を取り外し可能の物とし、蓋の裏に玩具を取り付ける事によりおむつ交換をよりスムーズにする。【解決手段】蓋の裏に玩具がある為、常に新鮮味があり乳幼児があきず色々な玩具により五感が刺激され集中している間、親は快適かつスムーズにおむつを交換する事が出来る。【選択図】図２
2007076736.tif 000002
【特許請求の範囲】
【請求項１】
乳幼児用おしりふき収納容器の蓋を取り外し可能なものとし蓋の裏に玩具を取り付け、乳幼児のおむつ変え時の遊び道具とする。
【請求項２】
蓋の裏には中で移動するビーズ、スパンコール等、目に付くものとして、文字、ボタン、キャラクター、ビーズ等、触って楽しむ物として、ボタンを押すと音が出る、光がつく、ザラザラ、ボツボツ感、そして割れない安全な鏡になる物を取り付ける。
【発明の詳細な説明】
【技術分野】
【０００１】  本考案は蓋の裏に玩具を設けた乳幼児用おしりふき収納容器である。
【背景技術】
【０００２】  乳幼児のおむつ交換時（特に大便時）乳幼児が動き、おむつ変えが困難で動きを止める為、普段の玩具を持たせ気をそらせても見慣れた玩具では既にあきてしまって興味を示さず効果がない。
【発明の開示】
【発明が解決しようとする課題】
【０００３】  玩具をあえて蓋の裏とし普段は目に付がないようにする事で新鮮味があり、おむつ交換時のみ乳幼児に与え楽しく五感を刺激されながら遊べ、おむつ交換を嫌がらず親も交換作業がスムーズに出来、より育児を楽しめる。
【課題を解決しようとする手段】
【０００４】  本考案は、蓋を容器本体から取り外し可能な物とする。
【０００５】  蓋の部分は一部クリアボディーにし、中で移動するビーズ等を入れる。
【０００６】  蓋の着脱には本体にはめ込み式、もしくは蓋の両端に押す事により本体から取り外し可能な装置を付け、よりスムーズに乳幼児に玩具を与える事が出来る。
【考案の効果】
【０００７】  上述の様な蓋は二ヶ月〜三十ヶ月前後の乳幼児にとってとても興味を示す物である、よっておむつ交換時、親子共に快適な時間を過ごす事が出来る。
【発明を実施するための最良の形態】
【０００８】  蓋はスムーズに片手で取り外し出来る様、はめ込み式なら本体に溝を作り、なおかつ蓋の両端に押すことにより本体から着脱可能な装置を取り付ける。【０００９】  蓋の裏のみ玩具を付ける。
【実施例】
【００１０】  以下、添付画面に従って一実施例を説明する。１の本体は現在市販されている様なプラスチック製の容器、２は蓋を収める溝である、３の開閉装置を取り付ける為の溝も必要となる。４の本体底よりウエットティッシュ等を詰めるなど本体自体は市販品とあまり変わりなく本考案は蓋を取り付ける溝がポイントである。【００１１】  図３は蓋の表である、表には玩具は何も取り付けない。蓋の両端に１０の本体から着脱をスムーズにする装置を付ける。【００１２】  図２は玩具部、蓋の裏の図である。５の部分は６のビーズ、スパンコール等、小さな動きのある物を入れ動きを楽しむためクリアボディーにする。【００１３】  ９はミラー（割れない物）になっており７は文字、キャラクター、手触り感の異なるビーズを設置、８は押すと光る又は音の出るボタンである。
【図面の簡単な説明】
【００１４】
【図１】おしりふき収納容器本体図である
【図２】おしりふき収納容器用蓋（玩具部）裏の様子である
【図３】おしりふき収納容器用蓋、表の様子である
【符号の説明】
【００１５】  １．乳幼児おしりふき収納容器本体
２．蓋を装着する溝
３．蓋と本体との装着装置
４．本体底のウエットティッシュ等の挿入口（底蓋）
５．蓋のクリアボディー部
６．クリアボディー部へ入れるビーズ等
７．キャラクター、文字、形、感触の違うビーズ
８．押すと音もしくは光が出るボタン
９．鏡部分（割れない物、シール鏡など）
１０．本体との取り外し可能にする装置
【図１】
2007076736.tif 000003
【図２】
2007076736.tif 000004
【図３】
2007076736.tif 000005
(57)【要約】【課題】従来は注出路を空腔にする部材が三次元的であるのに対し、二次元的にすることで安価とした。【解決手段】開口形成部材を構成する基盤２と側板３と４の境界をわん曲が連続した折り線５と６を設けることで、両側から力を加えると、わん曲部の歪力で自立的に立上げることができる。【選択図】図３
2007076739.tif 000002
【特許請求の範囲】
【請求項１】
両側板との境界がわん曲を成す基盤を注出路の膜に接着した収容袋。
【請求項２】
両側板と基板との間に変形歪による力を生じて側板が立上る形状を与え、前記基板を注出路の膜に接着した収容袋。
【発明の詳細な説明】
【技術分野】
【０００１】  本発明は、洗剤やシャンプーなどの液体、粘体あるいは粉体などを、本容器に移す為に収容しておく、入れ替え袋に適するものである。
【背景技術】
【０００２】  従来より、洗剤などの入れ替え内容物を合成樹脂膜の袋に収容し、元の入れ物が空になった時に、その中に移し替えることは日常的に行われている。
図４は、その種の一例を描いたもので、２０は合成樹脂膜の成形袋である。【０００３】  袋２０の一部には、元の容器に内容物を注ぎ込むに適する様に細く延びた注出路２１を備え、先端附近には切り取り指示線２２を備える。
しかし、この様な構造では、内容物を移している途中で、注出路２１を形成している上下の膜がくっついて、中味をこぼしてしまうことがある。【０００４】  これを避ける為の工夫の一例として図５の合成樹脂製の開口形成部材２３が知られている。これは、基板２４の両側に側板２５、２６を備え、基板２４の裏側中央部が注出路２１の膜内部の下部に熔着されており、側板２５と２６を両側から押すと垂直に立ち上がって空洞を作る。【０００５】  その際、側板２５、２６を基板２４に対して保持するために、基板２４から立ち上がったカギ状突起２７と係止片２８の組、及び爪状突起２９と係止部３０が設けられている。そして側板２５を押すとカギ状突起２７の頭と係止片２８が係合し、また爪状突起２９と係止部３０が係合する。
【発明の開示】
【発明が解決しようとする課題】
【０００６】
【０００７】  以上、述べた開口形成部材では、三次元の構造を持ち、入り組んだ部分も有るため、これを作る際に使う金型は高価になり易い。【０００８】  本発明は、このような従来の構成が有していた問題を解決しようとするものであり、二次元的な金型で実現することを目的とする。
【課題を解決するための手段】
【０００９】  そして、本発明は上記目的を達成するために、収容袋の注出路の膜に、両側板との境界がわん曲を成す基板を熔着あるいは接着剤で、接着したものである。【００１０】  上記課題解決手段による作用は次の通りである、すなわち、基板と側板の境界をなすわん曲した部分が、側板を押して折り曲げたときに、自立的に立ち上がる変形歪に基づく力を作り出して状態を維持することができる。
【発明の効果】
【００１１】  上述したように本発明の収容袋は、二次元的な形態を元にしているため、安価にすることができ、また安価にできるので、注出路の大きさに応じて作ることができるので、決まった寸法の開口形成部材に注出路の径の大きさの方を合わせる様なことを解消することも可能である。
【発明の実施するための最良の形態】
【００１２】  以下、本発明の実施の形態を図１から図３に基づいて説明する。
【００１３】  図１から図３には、開口形成部材のみを描いているが、この部材は、図４の注出路２１の内部の一方の面に基板の中央部分が長手方向に連続あるいは離散的に熔着あるいは接着剤を使って、接着されているものとする。
【００１４】  １は開口形成部材で、２は基板、３と４は側板で、凸凹した円弧が連続した折り線５と６を破線で描く様に形成している。そしてこのわん曲を連続した折り線５と６は、図１の太線７で示した断面のとおり、図２の様な逆Ｖ字溝８を裏面に設けることで製作されている。
【００１５】  以上の様に構成することで、袋２０の注出路２１の外側から力を加えると、側板３と４は立ち上がり、変形歪力で図３の様な形態を維持する。従って、注出路の部分には空腔が形成され、内容物をスムースに注ぐことが可能となる。
【図面の簡単な説明】
【００１６】
【図１】  本発明の要部実施形態を示す平面図。
【図２】  部分断面図。
【図３】  斜視図。
【図４】  全体斜視図。
【図５】  従来例の部分平面図。
【符号の説明】
【００１７】  ２        基板
３・４    側板
５・６    わん曲した折り溝
【図１】
2007076739.tif 000003
【図２】
2007076739.tif 000004
【図３】
2007076739.tif 000005
【図４】
2007076739.tif 000006
【図５】
2007076739.tif 000007
(57)【要約】      （修正有）【課題】後続車の発するライトの光だけが頼りのため、ライトの光が弱かったり、無い場合には、反射発光が弱く、リアガラスに取り付けた、反射型案内標識は見えにくいという不都合を解決すること。【解決手段】イ）自動車のリアガラス（１）につける吸盤（２）に＜支柱（３）を設け、支柱（３）に回転モーター（４）のついた、高輝度反射材の絵柄標識（５）を設ける。ロ）絵柄標識（５）の次に、回転モーター（４）で動く、高輝度反射材の右用矢印方向マーク（６）と左用矢印方向マーク（７）と感謝マーク（８）を設ける。ハ）更に支柱（３）の一部に、反射用カサ（９）のついた、点滅出来るスポットライト（１０）を取り付ける。ニ）回転モーター（４）には、左右に回転するタイマー付操作スイッチ（１１）を設ける。以上のことを特徴とする。【選択図】図２
2007076629.tif 000002
【特許請求の範囲】
【請求項１】
イ）自動車のリアガラス（１）につける吸盤（２）に＜支柱（３）を設け、支柱（３）に回転モーター（４）のついた、高輝度反射材の絵柄標識（５）を設ける。
ロ）絵柄標識（５）の次に、回転モーター（４）で動く、高輝度反射材の右用矢印方向マーク（６）と左用矢印方向マーク（７）と感謝マーク（８）を設ける。
ハ）更に支柱（３）の一部に、反射用カサ（９）のついた、点滅出来るスポットライト（１０）を取り付ける。
ニ）回転モーター（４）には、左右に回転するタイマー付操作スイッチ（１１）を設ける。
以上のごとく構成された、後続車に対応するスポットライト付反射型案内標識に関するものである。
【発明の詳細な説明】
【技術分野】
【０００１】  本発明は、反射型案内標識に関するものであり、スポットライトを利用し、案内標識に工夫を加えることによって、後続車に昼夜を問わず、反射発光して視認性を高め、左右折等の方向変更に関する標示や、運転者の状態を感謝標示や絵柄標示で行うようにしたものである。
【背景技術】
【０００２】  従来、後続車のライトを頼り、そのライトの光で反射発光して、視認する方法である。
【発明の開示】
【発明が解決しようとする課題】
【０００３】  後続車の発するライトの光だけが頼りのため、ライトの光が弱かったり、無い場合には、反射発光の効果が無く、見落とすことが多い。
又、前の走行車両の方向変更に気づくのが遅くなると、後続車は事故等の危険性が多くなる。
更に道路の車線変更や合流等は、後続車への配慮がないと、割り込み出来ず、非常に危険性が高くなる。
本発明は、このような前を走る走行車輛と、後続車輛の関係を重視し、左右変更等を事前に、より確実に後続車輛に視認させることを課題とする。
【課題を解決しようとする手段】
【０００４】  以下、本発明の課題を解決するための手段を説明する。
この課題を解決するための〔請求項１〕の発明は、運転者の条件、状態を告知するため、初心運転者、高齢運転者、障害者、女性、妊婦、子供や赤ちゃん同乗等の絵柄標識を標示する。
更に左右の進路変更による車線変更や合流が難しい場合には、左右の矢印方向マークを標示し、スポットライトの照明を点滅操作し、後続車に強くアピールする。
後続車が気づき、譲ってくれた後、譲ってくれた相手、後続車に配慮して、感謝マークを標示し、スポットライトの照明を点滅操作する。
御礼、会釈、思いやりの挨拶の意味である。
以上のように、後続車への配慮を標示出来ることを特徴とする、後続車に対応するスポットライト付反射型案内標識である。
【発明の効果】
【０００５】  この発明の効果を説明する。
本発明によって、後続車は、前の走行車の視認が高まり、運転者の条件や状態を情報として認知して、左右への進路変更を余裕をもって、事前に知り、対応出来る。
更に感謝マークのような思いやりの挨拶、標示を受け、譲り合い精神と相手を思いやる安全運転の心が育つ。
【発明を実施するための最良の形態】
【０００６】  図１は、反射型案内標識の絵柄標識、右用矢印マーク、左用矢印マーク、感謝マークの位置図である。
図面に示すように、リアガラスを透し、後続車の視認を高める位置を示している。【０００７】  図２は、自動車のリアガラスに取り付けた、点滅出来るスポットライトを設けたことを特徴とする、反射型案内標識の断面図である。
図面に示すように、リアガラスを透し、後続車の視認を高めるスポットライトによる点滅反射を利用している。
図面の絵柄標識は、固定された位置に設けており、その他の回転する右用矢印マーク、左用矢印マーク、感謝マークは、絵柄標識の後に重なった状態が原点になり、通常は見えない。
右用矢印マークは、右に１／４回転する。
左用矢印マークは、左に１／４回転する。
感謝マークは１／２回数する。
右用矢印マーク、左用矢印マーク。感謝マークの回転方向、停止位置、停止時間は、タイマー付操作スイッチと回転モーターに、プログラムを組んで自動化する。【０００８】  感謝マークは、感謝、ありがとう、Ｔｈａｎｋ  ｙｏｕ等の文字でも、絵柄でもよい。
またスポットライトは反射型案内標識の反射輝度を増すため、高輝度反射材に適する光源で、視認性が高まるものであればよい。
又、点滅しても点滅しなくともよい。
更に、反射型案内標識の絵柄標示マーク、感謝マーク、矢印方向マークが発光ダイオードを使用してもよい。
又、更に、支柱を支える吸盤は、リアガラスに固定する強力タイプか、吸盤でなく、接着板でもよい。
【産業上の利用可能性】
【０００９】  本発明に係る反射型案内標識は、工業的に量産することが可能であるため、産業上の利用可能を有する。
【図面の簡単な説明】
【００１０】
【図１】  本発明の位置図である。
【図２】  本発明の断面図である。
【符号の説明】
【００１１】（１）リアガラス（２）吸盤（３）支柱
（４）回転モーター（５）絵柄標識
（６）右用矢印方向マーク（７）左用矢印方向マーク
（８）感謝マーク（９）反射用カサ
（１０）スポットライト（１１）タイマー付操作スイッチ
【図１】
2007076629.tif 000003
【図２】
2007076629.tif 000004
(57)【要約】      （修正有）【課題】４０ｋｇ〜６０ｋｇといった重量物を手押し台車に載せて車や棚まで運ぶことはできても７０ｃｍ〜８０ｃｍといった棚や車の上に載せるのは大変です  そこで手押し台車で運んで車や棚に楽に持ち上げることのできる手押し台車を提供する。【解決手段】手押し台車を２層にしてその２層間に襷状に動く鋼製の骨組み（１）と２つの車をつないだ車軸（２）を押すことのできる油圧器（３）を設置し油圧の力で車軸を押す事で襷状に組み込まれた鋼製の骨組みが動いて上部台車部分（４）がもちあがる、また持ち上がる際に台のぐらつきがないように２本の鋼製の棒（５）を取り付け上部台車がその棒を滑らして持ち上がるようにする。【選択図】図４
2007076624.tif 000002
【特許請求の範囲】
【請求項１】
手押し台車を２層にしてその２層かんに油圧ジヤッキーと鋼製の骨組みを取り付けて荷物を運んで荷台の高い車などに楽に持ち上げて積み込むことができる。
【発明の詳細な説明】
【発明の詳細な説明】
【技術分野】
【０００１】本発明は４０ｋｇ〜６０ｋｇといった荷物を荷台の低い手押し台車に載せることはできても７０ｃｍ〜８０ｃｍといった荷台の高い車や棚などに載せるのは大変です  そこで低い台車に荷物載せて荷台の高い車や棚などに楽に載せることができるようになる。
【背景技術】
【０００２】従来は手押し台車に荷物を持ち上げる機能の付いたものはなかった。
【発明が解決しようとする課題】
【０００３】４０ｋｇ〜６０ｋｇといった荷物をトラックの荷台や棚といった所へ載せるのは大変です無理をして持ち上げて載せようとすると腰を痛めたりする。
【課題を解決するための手段】
手押し台車に油圧の力を利用して荷物を持ち上げる機能を取り付けることで楽に車や棚に積み込むことができる。
【発明を実施するための最良の形態】
【０００５】以下発明の実施の形態について説明する
（イ）  手押し台車の台車部分を２層にして２層間に、たすき状に持ち上がる鋼製の骨組みと油圧器を設置し油圧の力で鋼製の骨組みを動かし上部台車部分をもちあげる。
（ロ）  手押し台車前部に台車２層に分けた上部また下部に同じように右と左に車をつけ車をつなぐ車軸をつけ移動可能なローラ状にする後部には上部また下部に回転軸となるピン接点とする
（ハ）  油圧の力で上部の台を持ち上げた時に台のぐらつきがないように手前部分に２本の鋼製の棒を立てその棒に上部台車を滑らして持ち上げるようにする。
【発明の効果】
【０００６】重たい荷物を車などに積み込むのは大変な作業です  荷台の低い手押し台車に荷物を載せる事はできても荷台の高い車などに載せるのは大変な作業です無理をして持ち上げていると腰などを痛めてしまうそこで手押し台車に持ち上げる機能をつけて楽に車などに載せることで労働の軽減になる。
【図面の簡単な説明】
【図１】本発明の平面図
【図２】立面断面図
【図３】本発明の使用状態を示す側面断面図で移動する時
【図４】本発明の使用状態を示す側面立面図で荷物を持ち上げた時
【符号の説明】
１  鋼製の骨組み
２  車軸
３  油圧器
４  上部台車部分
５  ２本の鋼製の棒
６  ジヤッキー棒
【図１】
2007076624.tif 000003
【図２】
2007076624.tif 000004
【図３】
2007076624.tif 000005
【図４】
2007076624.tif 000006